【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
可変長ゴルフクラブであって、
第１シャフトと、
前記第１シャフトの一部を移動可能に受け入れる中空部分を備える第２シャフトと、
前記第１シャフトと前記第２シャフトのいずれか一方に取り付けられたヘッドと、
前記第１シャフトと前記第２シャフトのいずれか一方に取り付けられており、前記ヘッドの反対側に位置するグリップと、
前記中空部分の少なくとも一部が内部に位置するように前記第２シャフトの前記中空部分の上に設けられているカラーであって、ギャップを画定する第１の側と第２の側を有しており、第１位置から第２位置へと拡大可能に構成されており、前記第１位置に向けて付勢されている、カラーと、
前記カラーに接続可能に構成されており、前記カラーを前記第１位置から前記第２位置へと拡大させるカラー拡大部材であって、その一部が前記カラーの一部と係合して前記ギャップの拡大を制限するよう構成されている、カラー拡大部材と、
を備えており、
前記カラーの前記第１位置では、前記カラーは、前記第１シャフトと前記第２シャフトが摩擦係合するように前記第２シャフトの前記中空部分の一部を前記第１シャフトの一部に押し付けて圧縮しており、
前記カラーの前記第２位置では、前記カラーは、前記第１シャフトと前記第２シャフトが互いに移動可能となるように前記ギャップを拡大させる、ゴルフクラブ。
【請求項２】
前記カラーは、前記第１の側から前記ギャップへと伸びる穴をさらに備えており、
前記カラー拡大部材は、ボルトを備えており、
前記穴は、前記穴に挿入されて前記カラーの前記第２の側と係合するように構成される前記ボルトを受け入れ可能であり、
前記ボルトは、前記ボルトが前記カラーの前記第２の側と係合した後に、さらに前記穴の中に挿入されると、前記ギャップを拡大させる、請求項１に記載のゴルフクラブ。
【請求項３】
前記カラーは、前記第２シャフトに係合する内側突出部であって、前記第２シャフトが前記内側突出部を越えて前記カラー内へ挿入されるのを防止する内側突出部を備える、請求項１又は２に記載のゴルフクラブ。
【請求項４】
前記カラーは、前記カラーの第１の内径を画定する第１内径部と前記カラーの第２の内径を画定する第２内径部とを有しており、
前記第２の内径は、前記第１の内径よりも大きい、請求項１〜３のいずれか一項に記載のゴルフクラブ。
【請求項５】
前記カラーの少なくとも内部又は外部に、前記カラーの薄壁部を画定する少なくとも１つのチャネルが設けられている、請求項１〜４のいずれか一項に記載のゴルフクラブ。
【請求項６】
前記第２シャフトは、前記第１シャフトよりも軽い、請求項１〜５のいずれか一項に記載のゴルフクラブ。
【請求項７】
前記第１シャフトは、第１密度を有しており、
前記第２シャフトは、第２密度を有しており、
前記第１密度は、前記第２密度よりも大きい、請求項１〜６のいずれか一項に記載のゴルフクラブ。
【請求項８】
前記第１シャフトと前記第２シャフトは、同じ素材で形成されており、
前記第２シャフトは、単位長さあたりの重さが前記第１シャフトより軽く形成されている、請求項１〜６のいずれか一項に記載のゴルフクラブ。
【請求項９】
可変長ゴルフクラブシステムであって、
第１シャフトと、
前記第１シャフトの一部を移動可能に受け入れる中空部分を備える第２シャフトであって、前記中空部分の少なくとも一部は、前記第２シャフトの軸に沿った方向に柔軟な柔軟部分を画定する、第２シャフトと、
前記第１シャフトと前記第２シャフトのいずれか一方に取り付けられたヘッドと、
前記第１シャフトと前記第２シャフトのいずれか一方に取り付けられており、前記ヘッドの反対側に位置するグリップと、
前記柔軟部分の少なくとも一部が内部に位置するように前記第２シャフトの前記柔軟部分の上に設けられているカラーであって、ギャップを画定する第１の側と第２の側を有しており、第１位置から第２位置へと拡大可能に構成されている、カラーと、
前記カラーとは別体で構成されており、前記カラーを前記第１位置から前記第２位置へと拡大させるように前記カラーと係合する工具と、
を備えており、
前記カラーの前記第１位置では、前記カラーは、前記第１シャフトと前記第２シャフトが摩擦によってロックするように前記第２シャフトの前記柔軟部分を前記第２シャフトの前記中空部分内に配置された前記第１シャフトの一部に押し付けて圧縮しており、
前記カラーの前記第２位置では、前記カラーは、前記第１シャフトと前記第２シャフトが互いに移動可能となるように前記ギャップを拡大させており、
前記工具の一部は、前記ギャップの拡大を制限するために前記カラーの一部と係合するように構成されている、ゴルフクラブシステム。
【請求項１０】
前記柔軟部分は、前記柔軟部分に柔軟性を付与するための少なくとも１つのスリットを有する前記第２シャフトの前記中空部分の一部を含む、請求項９に記載のシステム。
【請求項１１】
前記工具は、ボルトを備えており、
前記カラーは、前記第１の側から前記ギャップへと伸びる穴を備えており、
前記穴は、前記穴に挿入されて前記カラーの前記第２の側と係合するように構成される前記ボルトを受け入れ可能であり、
前記ボルトは、前記ボルトが前記カラーの前記第２の側と係合した後に、さらに前記穴の中に挿入されると、前記ギャップを拡大させる、請求項９又は１０に記載のシステム。
【請求項１２】
前記カラーは、前記第２シャフトに係合する内側突出部であって、前記第２シャフトが前記内側突出部を越えて前記カラー内へ挿入されるのを防止する内側突出部を備える、請求項９〜１１のいずれか一項に記載のシステム。
【請求項１３】
前記カラーは、前記カラーの第１の内径を画定する第１内径部と前記カラーの第２の内径を画定する第２内径部とを有しており、
前記第２の内径は、前記第１の内径よりも大きい、請求項９〜１２のいずれか一項に記載のシステム。
【請求項１４】
前記カラーの少なくとも内部又は外部に、前記カラーの薄壁部を画定する少なくとも１つのチャネルが設けられている、請求項９〜１３のいずれか一項に記載のシステム。
【請求項１５】
ゴルフクラブの製造方法であって、
第１シャフトと、前記第１シャフトの一部を移動可能に受け入れる中空部分であって、その一部によって前記第２シャフトの軸に沿った方向に柔軟な柔軟部分を画定する中空部分を備える第２シャフトと、前記第１シャフトと前記第２シャフトのいずれか一方に取り付けられたヘッドと、前記第１シャフトと前記第２シャフトのいずれか一方に取り付けられており、前記ヘッドの反対側に位置するグリップと、を形成する工程と、
前記柔軟部分の少なくとも一部に跨るように前記第２シャフトの前記柔軟部分の上に設けられているカラーを形成する工程であって、前記カラーが、ギャップを画定する第１の側と第２の側を有しており、第１位置から第２位置へと拡大可能に構成されている、カラーを形成する工程と、
前記カラーとは別体で構成されており、前記カラーを前記第１位置から前記第２位置へと拡大させるように前記カラーと係合する工具を形成する工程と、
を備えており、
前記カラーの前記第１位置では、前記カラーは、前記第１シャフトと前記第２シャフトが摩擦によってロックするように前記第２シャフトの前記柔軟部分を前記第２シャフトの前記中空部分内に配置された前記第１シャフトの一部に押し付けて圧縮しており、
前記カラーの前記第２位置では、前記カラーは、前記第１シャフトと前記第２シャフトが互いに移動可能となるように前記ギャップを拡大させており、
前記工具の一部は、前記ギャップの拡大を制限するために前記カラーの一部と係合するように構成されている、ゴルフクラブの製造方法。
【請求項１６】
前記第２シャフトの前記中空部分に少なくとも１つのスリットを形成することによって前記柔軟部分を形成する工程をさらに備える、請求項１５に記載の方法。
【請求項１７】
前記第１の側から前記ギャップへと伸びる穴を前記カラーに形成する工程をさらに備えており、
前記工具を形成する工程は、前記穴によって受け入れられ、挿入され、前記カラーの前記第２の側と係合するボルトを形成する工程を含んでおり、
前記ボルトは、前記ボルトが前記カラーの前記第２の側と係合した後に、さらに前記穴の中に挿入されると、前記ギャップを拡大させる、請求項１５又は１６に記載の方法。
【請求項１８】
前記カラーを形成する工程は、前記第２シャフトに係合する内側突出部であって、前記第２シャフトが前記内側突出部を越えて前記カラー内へ挿入されるのを防止する内側突出部を前記カラーのために形成する工程を含んでいる、請求項１５〜１７のいずれか一項に記載の方法。
【請求項１９】
前記カラーを形成する工程は、前記カラーの第１の内径を画定する第１内径部と前記カラーの第２の内径を画定する第２内径部とを形成する工程を含んでおり、
前記第２の内径は、前記第１の内径よりも大きい、請求項１５〜１８のいずれか一項に記載の方法。
【請求項２０】
前記カラーを形成する工程は、前記カラーの少なくとも内部又は外部に、前記カラーの薄壁部を画定する少なくとも１つのチャネルを形成する工程を含む、請求項１５〜１９のいずれか一項に記載の方法。
【請求項２１】
前記第１シャフトと前記第２シャフトを形成する工程は、前記第２シャフトを前記第１シャフトよりも軽く形成する工程を含む、請求項１５〜２０のいずれか一項に記載の方法。
【請求項２２】
前記第１シャフトと前記第２シャフトを形成する工程は、前記第１シャフトが第１密度を有するように形成する工程と、前記第２シャフトが第２密度を有するように形成する工程とを含んでおり、
前記第１密度は、前記第２密度よりも大きい、請求項１５〜２１のいずれか一項に記載の方法。
【請求項２３】
前記第１シャフトと前記第２シャフトを形成する工程は、前記第２シャフトのほうが前記第１シャフトよりも単位長さあたりの重さが軽くなるように形成する工程を含んでおり、
前記第１シャフトと前記第２シャフトは、同じ素材で形成されている、請求項１５〜２１のいずれか一項に記載の方法。